(57)【特許請求の範囲】
【請求項１】
親ドア本体の下端には、ボトムタイト材が設けてあると共に、子ドア召合框と下枠とのコーナー部には、気密材が設けてあり、親ドアを閉じた際には、親ドア本体の下端では、前記ボトムタイト材が下枠に当接すると共に、前記コーナー部では、前記ボトムタイト材が前記気密材に当接し且つ親ドアが気密材に当接するようにした建築用ドアにおいて、
前記気密材を保持する樹脂製ホルダーを子ドア召合框の下部に取付け、この樹脂製ホルダーの取付位置を調整自在にしてあり、前記気密材は、親ドア側の面の横方向の一端部に親ドアの当接面よりも室内側に凹んだ段差部が形成してあると共に親ドア側の面で親ドアとの当接面よりも下方に凹んだ段差部が形成してあり、親ドアを閉じた際に各段差部が親ドアが当接しないようにしてあることを特徴とする建築用ドア。
【発明の詳細な説明】
【０００１】
【発明の属する技術分野】
本発明は、バリアフリー用ドアの建付を調整した場合であっても、気密材の位置調整を行うことにより、光漏れ又は気密を確保できる建築用ドアに関する。
【０００２】
【従来の技術】
一般に、玄関や浴室における出入口のドアにおいて、下枠をフラットにして、ドアと床面との段差をなくしたいわゆるバリアフリーの構成が知られている。
【０００３】
このようなバリアフリー用ドアにあっては、例えば、玄関口の外側ステップと下枠とが同じレベルにあるため、降雨時に外側ステップに水が溜まったり、所定高さの水膜が形成される場合があり、ドアを閉じた状態で、かかる水膜や水溜まりの水が下枠とドアとの間から浸入するといったことがある。また、同様に、光も下枠とドアとの間から浸入するといったことがある。
【０００４】
このような水や光の浸入を防止するため、ドア本体の下端には、ボトムタイト材が設けてあり、縦枠及び召合框と下枠とのコーナー部には、スポンジ又はヒレ形状の気密材が設けてある。これにより、ドアを閉じた際には、ドア本体の下端では、ボトムタイト材が下枠に当接し、上記コーナー部では、ボトムタイト材が気密材に当接するようになっているため、ドア下部の気密構造を形成でき、水や光が下枠とドアとの間から浸入するといったことを防止できる。
【０００５】
【発明が解決しようとする課題】
しかしながら、上記の構造にあっては、ドアの建付にガタが生じ、ドアと下枠のちりが変化した場合、又はドア本体が内外方向にズレた場合には、縦枠及び召合框と下枠とのコーナー部では、ボトムタイト材が気密材に当接しないといったことがあり、光漏れ又は気密を確保するのが困難であるといったことがある。
【０００６】
また、ドアの建付にガタが生じた場合等には、一般に、丁番調整、ロック受調整等の建付調整を行うが、このような建付調整を行った場合であっても、ボトムタイト材を気密材に当接させることができず、光漏れ又は気密の確保が困難であった。
【０００７】
本発明の目的は、バリアフリー用ドアの建付を調整した場合であっても、気密材の位置調整を行うことにより、光漏れ又は気密を確保できる建築用ドアを提供することにある。
【０００８】
【課題を解決するための手段】
請求項１に記載の発明は、親ドア本体の下端には、ボトムタイト材が設けてあると共に、子ドア召合框と下枠とのコーナー部には、気密材が設けてあり、親ドアを閉じた際には、親ドア本体の下端では、前記ボトムタイト材が下枠に当接すると共に、前記コーナー部では、前記ボトムタイト材が前記気密材に当接し且つ親ドアが気密材に当接するようにした建築用ドアにおいて、前記気密材を保持する樹脂製ホルダーを子ドア召合框の下部に取付け、この樹脂製ホルダーの取付位置を調整自在にしてあり、前記気密材は、親ドア側の面の横方向の一端部に親ドアの当接面よりも室内側に凹んだ段差部が形成してあると共に親ドア側の面で親ドアとの当接面よりも下方に凹んだ段差部が形成してあり、親ドアを閉じた際に各段差部が親ドアが当接しないようにしてあることを特徴とする。
【０００９】
【００１０】
【００１１】
【００１２】
【００１３】
【００１４】
【００１５】
この請求項１に記載の発明では、気密材に、親ドアを閉じた際に親ドアが当接しないような段差を形成している。従来、このような段差を形成していない場合には、親ドアの気密材への当たりが強い時や、下枠と親ドアとのちりが基準より狭い時には、気密材が持ち上がって、下枠とドアとの間に隙間が発生するといったことがあったが、請求項１のように、気密材に段差が形成してある場合には、親ドアの気密材への当たりが強く、気密材の一部が持ち上がったとしても、段差の部分は、親ドアに当接せず、持ち上がらないため、下枠とドアとの間に隙間ができるといったことがなく、水や光が下枠とドアとの間から浸入するといったことを確実に防止できる。
【００１６】
【００１７】
【００１８】
【発明の実施の形態】
以下に、添付図面の図１乃至図１９を参照して、本発明の実施の形態を詳細に説明する。
【００１９】
（第１実施の形態）図１乃至図７を参照して第１実施の形態について説明する。
【００２０】
図１は、本発明の第１実施の形態に係る建築用親子ドアの要部の斜視図であり、図２は、図１に示す建築用親子ドアの要部の斜視図であり、図３は、図１に示す樹脂ホルダーの斜視図であり、図４は、図１に示す気密材の斜視図であり、図５は、変形例に係る気密材の斜視図であり、図６は、第１実施の形態に対応する従来の建築用親子ドアの斜視図であり、図７は、図６の平面断面図である。
【００２１】
先ず、図６及び図７を参照して、第１実施の形態に対応する従来を説明する。親子ドアの親ドア１がヒンジ２を介して縦枠３に揺動自在に設けられており、縦枠３には、その上下方向に沿って堅タイト材４が設けられている。
【００２２】
親ドア１の下端には、ボトムタイト材５が設けてあり、縦枠３と下枠６とのコーナー部には、スポンジ又はヒレ形状の気密材７が設けてある。これにより、親ドア１を閉じた際には、親ドア１の下端では、ボトムタイト材５が下枠６に当接し、上記コーナー部では、ボトムタイト材５が気密材７に当接するようになっているが、上記の構造にあっては、親ドア１の建付にガタが生じ、親ドア１と下枠６のちりが変化した場合、又は親ドア１が内外方向にズレた場合には、縦枠３と下枠６とのコーナー部では、図７に示すように、隙間ｄができ、ボトムタイト材５が気密材７に当接しないといったことがあり、光漏れ又は気密を確保するのが困難であるといったことがある。また、親ドア１の建付にガタが生じた場合には、一般に、丁番調整、ロック受調整等の建付調整を行うが、このような建付調整を行った場合であっても、図７に示す隙間（ｄ）ができ、ボトムタイト材５を気密材７に当接させることができず、光漏れ又は気密の確保が困難であった。
【００２３】
これに対して、第１実施の形態では、図１及び図２に示すように、樹脂製ホルダー８に気密材７を取付け、この樹脂製ホルダー８を縦枠３に取付けている。すなわち、樹脂製ホルダー８は、図３にも示すように、平面から視てＬ字状に形成してあり、基部９と、この基部９から屈曲した屈曲部１０とからなっている。基部９には、気密材７を取付けるための座部１１が形成してある。さらに、基部９には、縦枠３への取付のためのネジ１３の挿入孔１２が形成してあり、図２に示すように、この挿入孔１２を介して、ネジ１３を挿入してドライバー等により締め付けるようになっている。このネジ１３の縦枠３への取付位置を調整することにより、樹脂製ホルダー８及び気密材７の位置を、例えば室外側に５ｍｍ調整することができる。
枠３にねじ１３の軸部よりも大きな径の挿入穴Ａが形成してあり、ねじ１３は図２中に破線で示す裏板Ｂに螺合して止めてあり、樹脂製ホルダー８の位置調整は、ねじ１３の軸部が挿入孔Ａ内を移動することにより調整する。
【００２４】
従って、親ドア１を室外側等に建付調整を行った場合であっても、この建付調整に追随して、ネジ１３の取付位置を調整して樹脂製ホルダー８の取付位置を調整することにより、気密材７の位置を調整できるため、光漏れ又は気密を容易に確保でき、水や光が下枠６と親ドアと１の間から浸入するといったことを確実に防止できる。
【００２５】
さらに、気密材７は、親ドア１のロック側にあっては、図４に示すように、スポンジから形成されたものであってもよく、親ドア１の吊元側にあっては、図５に示すように、ヒレ成形されたものであってもよい。
【００２６】
（第２実施の形態）図８及び図９を参照して第２実施の形態について説明する。
【００２７】
図８は、本発明の第２実施の形態に係る建築用親子ドアの子ドア召合框の斜視図であり、図９は、図８に示す樹脂製ホルダーの平面図である。
【００２８】
この第２実施の形態では、子ドア１４の召合框１５の下部に、気密材１６を包持するための樹脂製ホルダー１７が取付けてある。すなわち、この樹脂製ホルダー１７は、図９にも示すように、基部１８と、この基部１８から突出した突出片１９とかなっており、基部１８には、子ドア召合框１５を囲うように複数の気密材１６が取付けてあり、突出片１９は、ネジ２０により子ドア召合框１５に取付けられるようになっている。このネジ２０による突出片１９の取付位置を調整することにより、樹脂製ホルダー１７の位置を例えば上下に±３ｍｍ、室外側に５ｍｍ調整することができ、子ドア召合框１５の建付調整を行った場合であっても、この建付調整に追随して、樹脂製ホルダー１７の取付位置を調整することにより、気密材の位置を調整できるため、光漏れ又は気密を容易に確保でき、水や光が下枠とドアとの間から浸入するといったことを確実に防止できる。
【００２９】
また、突出片１９の下端には、小気密材２１が取付けてあり、光漏れ又は等を防止するようになっている。
【００３０】
（第３実施の形態）図１０及び図１１を参照して第３実施の形態について説明する。
【００３１】
図１０（ａ）は、本発明の第３実施の形態に係る建築用親子ドアの縦断面図であり、図１０（ｂ）は、（ａ）に示す建築用親子ドアの平面断面図であり、図１１（ａ）は、本発明の第３実施の形態に対応する従来に係る建築用親子ドアの縦断面図であり、図１１（ｂ）は、同図（ａ）に示す建築用親子ドアの平面断面図である。
【００３２】
先ず、図１１を参照して、第３実施の形態に対応する従来を説明する。図１１（ｂ）に示すように、親ドア１を閉じた際に、親ドア１が子ドア１４の子ドア召合框１５に嵌合するようになっている。図１１（ａ）にも示すように、この子ドア召合框１５に、樹脂製ホルダー２２が取付けてあり、この樹脂製ホルダー２２に、気密材１６が包持されている。しかし、この図１１の従来の構成にあっては、子ドア召合框１５下端と下枠との間に、空間部Ａが形成されるといったことがある。そのため、図１１（ｂ）に示すように、ボトムタイト材５が気密材１６に適切に当接していない場合には、図１１（ｂ）に矢印で示すように、外部から光が空間部Ａを介し、ボトムタイト材５と気密材１６との間を通って屋内に浸入するといったことがあった。
【００３３】
これに対して、第３実施の形態では、図１０に示すように、子ドア１４の召合框１５の下部に、気密材１６を包持するための樹脂製ホルダー２３が取付けてある。すなわち、この樹脂製ホルダー２３は、基部２４と、この基部２４から子ドア召合框１５の縦壁の内方に延びる突出片２５とからなっている。この突出片２５は、ネジ２６により子ドア召合框１５の縦壁に固定している。この突出片２５の下側に、下枠６に当接する小気密材２７を設け、図１１に示した空間部Ａを閉塞している。
【００３４】
従って、親ドア１の下端のボトムタイト材５が気密材１６に適切に当接しないような場合に、外部から光が如何なる角度で入射したとしても、１０図に示す小気密材２７により図１１に示すように従来生じていた空間部Ａが閉塞されているため、下枠６と親ドア１下端との間から光が屋内に漏れるといったことを確実に防止できる。
【００３５】
（第４実施の形態）図１２乃至図１７を参照して第４実施の形態について説明する。
【００３６】
図１２は、本発明の第４実施の形態に係る建築用親子ドアの平面断面図であり、図１３は、図１２に示した気密材の斜視図であり、図１４は、図１２に示した建築用親子ドアの縦断面図であり、図１５は、図１２に示した建築用親子ドアの作用図であり、図１６は、本発明の第４実施の形態に対応する従来に係る建築用親子ドアの平面断面図であり、図１７（ａ）（ｂ）（ｃ）は、図１６に示す建築用親子ドアの作用図である。
【００３７】
先ず、図１６及び図１７を参照して、第４実施の形態に対応する従来を説明する。図１６に示すように、親ドア１を閉じた際に、親ドア１が子ドア１４の子ドア召合框１５に嵌合し、図１７（ａ）に基準状態を示すように、親ドア１の下端のボトムタイト材５が、子ドア召合框１５に樹脂製ホルダー２２を介して設けられた気密材１６に当接し、水や光の浸入を防止するようになっている。しかし、図１７（ｂ）に示すように、親ドア１の気密材１６への当たりが強い場合には、気密材１６が持ち上げられ、隙間Ｂが形成され、水が光の浸入の虞れがあった。また、同様に、図１７（ｃ）に示すように、下枠と親ドア１との間のちり（ｈ）が狭い場合にも、気密材１６が持ち上げられ、隙間Ｂが形成され、水が光の浸入の虞れがあった。
【００３８】
これに対して、第４実施の形態では、図１２乃至図１４に示すように、気密材１６の親ドア側の面に、横方向及び上下方向に段落ちさせた段差２８ａ，２８ｂが形成してある。これにより、親ドア１を閉じた際、段差２８ａ，２８ｂには、親ドア１が当接しないようになっている。また、段差２８ｂは、気密材１６の本体１６ａ側とは切れ目により切り離されており、本体１６ａが持ち上げられても、段差２８ｂは持ち上げられないようになっている。
【００３９】
従って、図１５に示すように、親ドア１の気密材１６の本体６ａへの当たりが強い場合、下枠と親ドア１との間のちり（ｈ）が狭い場合に、気密材１６の本体１６ａが持ち上げられたとしても、段差２８ａ，２８ｂの部分は、親ドア１に当接せず、持ち上がらないため、下枠と親ドア１との間に隙間Ｂができるといったことがなく、水や光が下枠とドアとの間から浸入するといったことを確実に防止できる。
【００４０】
（第５実施の形態）図１８及び図１９を参照して第５実施の形態について説明する。
【００４１】
図１８は、本発明の第５実施の形態に係る建築用親子ドアの平面断面図であり、図１９は、本発明の第５実施の形態に対応する従来に係る建築用親子ドアの平面断面図である。
【００４２】
先ず、図１９を参照して、第５実施の形態に対応する従来を説明する。親ドア１を閉じた際に、親ドア１が子ドア１４の子ドア召合框１５に嵌合し、親ドア１の下端のボトムタイト材５が、子ドア召合框１５に設けられた気密材１６に当接し、水や光の浸入を防止するようになっている。このボトムタイト材５は、親ドアのホロー部３０内に収納してあり、縦壁２９に当接してあったため、ボトムタイト材５の端部は、ドア幅より（ｅ）だけ、例えば６〜７ｍｍだけ下がった位置に設置している。しかし、この場合には、気密材１６とボトムタイト材５とのラップ量（ｆ）が非常に少なく、特に、ロックちりが大きくなったような場合には、光漏れ又はを発生するといったことがあった。
【００４３】
これに対して、第５実施の形態では、図１８に示すように、親ドア１のホロー部３０の縦壁２９に、切欠き３１を形成し、この切欠き３１を通してボトムタイト材５を子ドア１４に向けて可能な限り延出している。そのため、このボトムタイト材５と気密材１６とのラップ量（ｆ）を非常に多くすることができ、ロックちりが大きくなっても、下枠と親ドアとの間から光が漏れるといったことを確実に防止できる。
【００４４】
なお、本発明は、上述した実施の形態に限定されず、種々変形可能であることは勿論である。
【００４５】
【発明の効果】
以上説明したように、請求項１に記載の発明によれば、気密材を保持する樹脂製ホルダーを縦枠の下部に新たに設け、この樹脂製ホルダーの取付位置を調整自在にしているため、親ドアを室外側等に建付調整を行った場合であっても、この建付調整に追随して、樹脂製ホルダーの取付位置を調整することにより、気密材の位置を調整できるため、光漏れ又は気密を容易に確保でき、ドア下部の気密構造を形成でき、水や光が下枠とドアとの間から浸入するといったことを確実に防止できる。
【００４６】
【００４７】
【００４８】
気密材に、親ドアを閉じた際に親ドアが当接しないような段差を形成しているので、水や光が下枠とドアとの間から浸入するといったことを確実に防止できる。
【００４９】
【図面の簡単な説明】
【図１】本発明の第１実施の形態に係る建築用親子ドアの要部の斜視図である。
【図２】図１に示す建築用親子ドアの要部の斜視図である。
【図３】図１に示す樹脂ホルダーの斜視図である。
【図４】図１に示す気密材の斜視図である。
【図５】変形例に係る気密材の斜視図である。
【図６】第１実施の形態に対応する従来の建築用親子ドアの斜視図である。
【図７】図６の平面断面図である。
【図８】本発明の第２実施の形態に係る建築用親子ドアの子ドア召合框の斜視図である。
【図９】図８に示す樹脂製ホルダーの平面図である。
【図１０】図１０（ａ）は、本発明の第３実施の形態に係る建築用親子ドアの縦断面図であり、図１０（ｂ）は、（ａ）に示す建築用親子ドアの平面断面図である。
【図１１】図１１（ａ）は、本発明の第３実施の形態に対応する従来に係る建築用親子ドアの縦断面図であり、図１１（ｂ）は、（ａ）に示す建築用親子ドアの平面断面図である。
【図１２】本発明の第４実施の形態に係る建築用親子ドアの平面断面図である。
【図１３】図１２に示した気密材の斜視図である。
【図１４】図１２に示した建築用親子ドアの縦断面図である。
【図１５】図１２に示した建築用親子ドアの作用図である。
【図１６】本発明の第４実施の形態に対応する従来に係る建築用親子ドアの平面断面図である。
【図１７】図１７（ａ）（ｂ）（ｃ）は、図１６に示す建築用親子ドアの作用図である。
【図１８】本発明の第５実施の形態に係る建築用親子ドアの平面断面図である。
【図１９】本発明の第５実施の形態に対応する従来に係る建築用親子ドアの平面断面図である。
【符号の説明】
１ 親ドア
３ 縦枠
５ ボトムタイト材
６ 下枠
７ 気密材
８ 樹脂製ホルダー
１４ 子ドア
１５ 子ドア召合框
１６ 気密材
１７ 樹脂製ホルダー
２３ 樹脂製ホルダー
２５ 突出片
２７ 小気密材
２８ａ，２８ｂ 段差
２９ 縦壁
３０ ホロー部
３１ 切欠き
【図１】
0003717022.tif 000002
【図２】
0003717022.tif 000003
【図３】
0003717022.tif 000004
【図４】
0003717022.tif 000005
【図５】
0003717022.tif 000006
【図６】
0003717022.tif 000007
【図７】
0003717022.tif 000008
【図８】
0003717022.tif 000009
【図９】
0003717022.tif 000010
【図１０】
0003717022.tif 000011
【図１１】
0003717022.tif 000012
【図１２】
0003717022.tif 000013
【図１３】
0003717022.tif 000014
【図１４】
0003717022.tif 000015
【図１５】
0003717022.tif 000016
【図１６】
0003717022.tif 000017
【図１７】
0003717022.tif 000018
【図１８】
0003717022.tif 000019
【図１９】
0003717022.tif 000020